【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  デジタル音声信号のフレームを圧縮するための準備処理をする方法であって、
該フレームについての線形予測残差であって不規則な間隔で配置された顕著なピークを有する残差を生成するステップと、
オーバーラップしないで隣接する一連のセクションであって各セクションが１つ以下の顕著なピークを含む一連のセクションに、前記残差を分割するステップと、
一連の顕著なピークが、連続する一連のセクションにおいて規則的な間隔で配置されて成る理想化信号を導出するステップと、
前記残差の各セクションを、該理想化信号の対応するセクションと関連付けるステップと、
各残差セクションについての線形連続ワープ輪郭を、各残差セクションについて最後になる可能性のあるサンプルラグ値のサブレンジ内で、各残差セクションについて最後になる可能性のあるサンプルラグ値のサブセットに基づいて計算するステップと、
前記計算されたワープ輪郭を前記残差の前記セクションに適用して、各残差セクション内のいかなる顕著なピークも前記理想化信号の前記対応するセクションにおける前記顕著なピークと揃うように前記残差を修正し、それによって該修正残差の顕著なピッチピークが規則的な間隔で配置され、該修正残差において前記残差のいかなるセクションの部分も削除されたり繰り返されたりしないステップ
とを含むことを特徴とする方法。
【請求項２】  前記生成するステップはさらに、
前記フレームについての線形予測係数を抽出するステップと、
前記フレームについての前記線形予測係数を補間して、前記フレームの複数のサブフレームについて線形予測係数を生成するステップと、
各サブフレームについて予測残差を生成し、それによって前記フレームについての前記予測残差が一組のサブフレーム予測残差を有するステップとを含むことを特徴とする請求項１に記載の方法。
【請求項３】  前記分割するステップはさらに、前記フレームを分析して整数ピッチ周期を確認するステップを含むことを特徴とする請求項１に記載の方法。
【請求項４】  前記確認するステップはさらに、オープンループ内で相関分析を使用するステップを含むことを特徴とする請求項３に記載の方法。
【請求項５】  前記計算するステップはさらに、
前記残差セクションの最初のサンプルについて最初のサンプルラグを確立するステップと、
前記残差セクションの最後のサンプルについて最後のサンプルラグの一組の候補を確認するステップであって、該一組の候補が、最後になる可能性のあるすべてのサンプルラグ値のサブレンジ内で、最後になる可能性のあるすべてのサンプルラグ値のサブセットからなるステップと、
各候補の最後のサンプルラグについての前記残差セクションの最初と最後のサンプル間の線形補間を実行し、一組の候補ラグ輪郭を生成するステップと、
各候補ラグ輪郭を前記残差セクションに適用して、一組の候補修正残差を得るステップと、
各候補修正残差と前記理想化信号の前記対応するセクション間の相関強度を計算して、一組の相関強度を生成するステップと、
該一組の相関強度に基づいて前記残差セクションについて最適な最後のサンプルラグを導出するステップと、
最初のサンプルラグから前記残差セクションについて導出された最適な最後のサンプルラグまでのセクション全体を線形補間することで、線形連続ワープ輪郭を導出するステップとを含むことを特徴とする請求項１に記載の方法。
【請求項６】  前記線形連続ワープ輪郭を導出するステップはさらに、
前記強度を導出するために使用される前記最後のサンプルラグに応じて、前記一組の相関強度をオーバーラップするサブセクションに分離するステップと、
各サブセクションを曲線として表すステップと、
各曲線の最大値であって、前記サブセクション内で前記強度を導出するために使用される前記最後のサンプルラグを含む可能なラグ値の範囲内で可能性のあるすべてのラグ値からなるグループから選択可能である前記最大値を計算するステップと、
前記サブセクションの前記曲線ついての前記最大値に基づいて前記セクションについて前記最大相関強度を計算するステップとを含むことを特徴とする請求項５に記載の方法。
【請求項７】  前記曲線は多項式であることを特徴とする請求項６に記載の方法。
【請求項８】  前記多項式は二次関数であることを特徴とする請求項７に記載の方法。
【請求項９】  計算されたワープ輪郭の適用時に前記セクション内のいかなるサンプルの最大累積シフトも４つのサンプル位置未満であるように、各残差セクションについて最後になる可能性のあるサンプルラグ値のサブレンジが選択されることを特徴とする請求項１に記載の方法。
【請求項１０】  デジタル音声信号のフレームを圧縮するために準備処理をする方法を実行するためのコンピュータ可読命令を有するコンピュータ可読媒体であって、
該フレームについての線形予測残差であって不規則な間隔で配置された顕著なピークを有する残差を生成するステップと、
オーバーラップしないで隣接する一連のセクションであって各セクションが１つ以下の顕著なピークを含む一連のセクションに、前記残差を分割するステップと、
一連の顕著なピークが、連続する一連のセクションにおいて規則的な間隔で配置されて成る理想化信号を導出するステップと、
前記残差の各セクションを、該理想化信号の対応するセクションと関連付けるステップと、
各残差セクションについての線形連続ワープ輪郭を、各残差セクションについて最後になる可能性のあるサンプルラグ値のサブレンジ内で、各残差セクションについて最後になる可能性のあるサンプルラグ値のサブセットに基づいて計算するステップと、
前記計算されたワープ輪郭を前記残差の前記セクションに適用して、各残差セクション内のいかなる顕著なピークも前記理想化信号の前記対応するセクションにおける前記顕著なピークと揃うように前記残差を修正し、それによって該修正残差の顕著なピッチピークが規則的な間隔で配置され、該修正残差において前記残差のいかなるセクションの部分も削除されたり繰り返されたりしないステップ
を含むことを特徴とするコンピュータ可読媒体。
【請求項１１】  前記生成するステップはさらに、
前記フレームについての線形予測係数を抽出するステップと、
前記フレームについての前記線形予測係数を補間して、前記フレームの複数のサブフレームについて線形予測係数を生成するステップと、
各サブフレームについて予測残差を生成し、それによって前記フレームについての前記予測残差が一組のサブフレーム予測残差を有するステップとを含むことを特徴とする請求項１０に記載のコンピュータ可読媒体。
【請求項１２】  前記分割するステップはさらに、前記フレームを分析して整数ピッチ周期を確認するステップを含むことを特徴とする請求項１０に記載のコンピュータ可読媒体。
【請求項１３】  前記確認するステップはさらに、オープンループ内で相関分析を使用するステップを含むことを特徴とする請求項１２に記載のコンピュータ可読媒体。
【請求項１４】  前記計算するステップはさらに、
前記残差セクションの最初のサンプルについて最初のサンプルラグを確立するステップと、
前記残差セクションの最後のサンプルについて最後のサンプルラグの一組の候補を確認するステップであって、該一組の候補が、最後になる可能性のあるすべてのサンプルラグ値のサブレンジ内で、最後になる可能性のあるすべてのサンプルラグ値のサブセットからなるステップと、
各候補の最後のサンプルラグについての前記残差セクションの最初と最後のサンプル間の線形補間を実行し、一組の候補ラグ輪郭を生成するステップと、
各候補ラグ輪郭を前記残差セクションに適用して、一組の候補修正残差を得るステップと、
各候補修正残差と前記理想化信号の前記対応するセクション間の相関強度を計算して、一組の相関強度を生成するステップと、
該一組の相関強度に基づいて前記残差セクションについて最適な最後のサンプルラグを導出するステップと、
最初のサンプルラグから前記残差セクションについて導出された最適な最後のサンプルラグまでのセクション全体を線形補間することで、線形連続ワープ輪郭を導出するステップとを含むことを特徴とする請求項１０に記載のコンピュータ可読媒体。
【請求項１５】  前記線形連続ワープ輪郭を導出するステップはさらに、
前記強度を導出するために使用される前記最後のサンプルラグに応じて、前記一組の相関強度をオーバーラップするサブセクションに分離するステップと、
各サブセクションを曲線として表すステップと、
各曲線の最大値であって、前記サブセクション内で前記強度を導出するために使用される前記最後のサンプルラグを含む可能なラグ値の範囲内で可能性のあるすべてのラグ値からなるグループから選択可能である前記最大値を計算するステップと、
前記サブセクションの前記曲線ついての前記最大値に基づいて前記セクションについて前記最大相関強度を計算するステップとを含むことを特徴とする請求項１４に記載のコンピュータ可読媒体。
【請求項１６】  前記曲線は多項式であることを特徴とする請求項１５に記載のコンピュータ可読媒体。
【請求項１７】  前記多項式は二次関数であることを特徴とする請求項１６に記載のコンピュータ可読媒体。
【請求項１８】  計算されたワープ輪郭の適用時に前記セクション内のいかなるサンプルの最大累積シフトも４つのサンプル位置未満であるように、各残差セクションについて最後になる可能性のあるサンプルラグ値のサブレンジが選択されることを特徴とする請求項１０に記載のコンピュータ可読媒体。
【請求項１９】  磁気的に読取り可能なディスク媒体を含むことを特徴とする請求項１０に記載のコンピュータ可読媒体。
【請求項２０】  光学的に読取り可能なディスク媒体を含むことを特徴とする請求項１０に記載のコンピュータ可読媒体。
【請求項２１】  被変調データ信号を有することを特徴とする請求項１０に記載のコンピュータ可読媒体。
【請求項２２】  揮発性のコンピュータ読取り可能なストレージを含むことを特徴とする請求項１０に記載のコンピュータ可読媒体。